(57)【要約】【課題】従来のＳｔａｔｕｓ  ｏｆ  ＦＡＴの項目である変調方式、搬送波ロック状態、Ｓ／Ｎ比、入力レベルの情報だけでは、お客様の家に配信されているケーブル信号状態および受信機の受信状態を、明確に表せないという点である。特にＳ／Ｎ比の値は±２ｄＢの誤差があり、かつ受信機のフロントエンド部の受信限界値に近いＳ／Ｎ値では、フロントエンド部が、伝送路における誤りなしの状態で、受信できているのか否かが判断つかないという課題がある。【解決手段】チャンネルの状態を表示する画面（ＯＰＥＮＣＡＢＬＥ  ＨＯＳＴ  ＤＥＶＩＣＥ  ＤＩＡＧＮＯＳＴＩＣＳ）のケーブル受信状態（Ｓｔａｔｕｓ  ｏｆ  ＦＡＴ）の項目において、ＭＰＥＧトランスポート・パケット中のビット・エラーを換算し、ＴＳ誤りの有無を表示する誤り表示（エラーインジケータ）という項目を付加し表示する。【選択図】図２
2006217008.tif 000002
【特許請求の範囲】
【請求項１】
放送信号を受信し、選局および復調、デコードを行う放送用受信機であって、放送信号から復調されたトランスポートストリームの誤りの有無、誤り量、誤り率のいずれかを画面表示することを特徴とする放送用受信機。
【請求項２】
変調された放送信号を受信、選局するチューナ部と、前記チューナ部から入力した変調された放送信号を復調する復調部と、復調された放送信号の誤りを訂正してトランスポートストリームを出力する誤り訂正部と、前記誤り訂正部から出力されたトランスポートストリームの誤りの有無を判断する誤り量算出部を備えたフロントエンド部と、
前記誤り訂正部から出力されたトランスポートストリームをデコードするデコード部と、デコードされたデジタル信号をアナログ信号に変換するＤＡＣ部を備えたバックエンド部からなる放送受信機であって、
前記誤り量算出部が判断したトランスポートストリームの誤りの有無を画面表示するグラフィック部を有することを特徴とする放送受信機。
【請求項３】
前記誤り量算出部による誤りの有無の判断は、トランスポートストリームの各トランスポート・パケットに含まれる誤り表示（エラー・インジケータ）を参照して行うことを特徴とする請求項２に記載の放送受信機。
【請求項４】
変調された放送信号を受信、選局するチューナ部と、前記チューナ部から入力した変調された放送信号を復調する復調部と、復調された放送信号の誤りを訂正してトランスポートストリームを出力する誤り訂正部と、前記誤り訂正部から出力されたトランスポートストリームの誤り量を算出する誤り量算出部を備えたフロントエンド部と、
前記誤り訂正部から出力されたトランスポートストリームをデコードするデコード部と、デコードされたデジタル信号をアナログ信号に変換するＤＡＣ部を備えたバックエンド部からなる放送受信機であって、
前記誤り量算出部が判断したトランスポートストリームの誤り量を画面表示するグラフィック部を有することを特徴とする放送受信機。
【請求項５】
前記誤り量算出部による誤り量の算出は、トランスポートストリームを構成する複数のトランスポート・パケットに含まれる誤り表示（エラー・インジケータ）を集計することで行うことを特徴とする請求項４に記載の放送受信機。
【請求項６】
変調された放送信号を受信、選局するチューナ部と、前記チューナ部から入力した変調された放送信号を復調する復調部と、復調された放送信号の誤りを訂正してトランスポートストリームを出力する誤り訂正部と、前記誤り訂正部から出力されたトランスポートストリームの誤り率を算出する誤り量算出部を備えたフロントエンド部と、
前記誤り訂正部から出力されたトランスポートストリームをデコードするデコード部と、デコードされたデジタル信号をアナログ信号に変換するＤＡＣ部を備えたバックエンド部からなる放送受信機であって、
前記誤り量算出部が判断したトランスポートストリームの誤り率を画面表示するグラフィック部を有することを特徴とする放送受信機。
【請求項７】
前記誤り量算出部による誤り率の算出は、トランスポートストリームを構成する複数のトランスポート・パケットに含まれる誤り表示（エラー・インジケータ）の集計から算出することを特徴とする請求項６に記載の放送受信機。
【発明の詳細な説明】
【技術分野】
【０００１】
本発明は、米国のＯｐｅｎＣａｂｌｅ規格・仕様に対応した、デジタルケーブル放送用受信機、およびテレビセットに関する。
【背景技術】
【０００２】
米国のケーブル業界においては、１９９７年にＣａｂｌｅ  Ｌａｂという北米ケーブルの規格を決定するグループの提唱により、ケーブル業界活性化を目的として、ＯｐｅｎＣａｂｌｅ標準規格が確立された。
【０００３】
そのＯｐｅｎＣａｂｌｅ標準規格の一つにＯｐｅｎＣａｂｌｅＨｏｓｔＤｅｖｉｃｅ１．０ＣｏｒｅＦｕｎｃｔｉｏｎａｌＲｅｑｕｉｒｅｍｅｎｔというＯｐｅｎＣａｂｌｅに対応した放送を受信する受信機に関する仕様がある。その仕様の中で、ＯＰＥＮＣＡＢＬＥ  ＨＯＳＴ  ＤＥＶＩＣＥ  ＤＩＡＧＮＯＳＴＩＣＳという受信機のケーブル受信状態（ＳＴＡＴＵＳ）を表示する内容に関しての仕様がある。
【０００４】
そのＳＴＡＵＳの項目の中で、Ｓｔａｔｕｓ  ｏｆ  ＦＡＴというＩＮ＿ＢＡＮＤ放送の状態を示す項目がある。
【０００５】
従来のＳｔａｔｕｓ  ｏｆ  ＦＡＴでは、変調方式（アナログ、６４ＱＡＭ、２５６ＱＡＭ）、搬送波ロック状態、Ｓ／Ｎ比、入力レベル（ｄＢｍＶ）を表示するように規格化されていた（非特許文献１の５３ページ目に記載）。
【０００６】
そしてケーブル放送用受信機をお客様の家に設置する場合に、これらのＳｔａｔｕｓを見て、配信されるケーブル放送の状態を判断している。
【０００７】
次に、従来の受信機の構成を図６に示す。ケーブル会社より送られてくるＩＮ＿ＢＡＮＤ帯域のＱＡＭ変調信号から所望のチャンネルを選局し、ＱＡＭ復調、誤り訂正し、トランスポートストリーム信号を復号し、またケーブル会社より送られてくるＯＵＴ＿ＯＦ＿ＢＡＮＤ帯域のＱＰＳＫ変調信号から所望の周波数を選局し、ＱＰＳＫ復調、誤り訂正をし、課金情報、ユーザ情報、チャンネル情報などを復号するフロントエンド部４０１と、トランスポートストリーム信号から、ＭＰＥＧ画像およびデジタル音声を復元し、アナログ映像、アナログ音声に変換し外部に出力するバックエンド部４０２と、受信機システム全体の制御をするシステム制御部１０８と、番組表や、グラフィック画面を作成するグラフィック部１０９により構成されている。
【非特許文献１】ＯＣ−ＳＰ−ＨＯＳＴ１．０−ＣＦＲ−Ｃ０１００４０６２９
【発明の開示】
【発明が解決しようとする課題】
【０００８】
解決しようとする問題点は、従来のＳｔａｔｕｓ  ｏｆ  ＦＡＴの項目である変調方式、搬送波ロック状態、Ｓ／Ｎ比、入力レベルだけの情報では、お客様の家に配信されているケーブル信号状態および受信機の受信状態を、明確に表せないという点である。
【０００９】
特にＳ／Ｎ比の値は±２ｄＢの誤差があり、かつ受信機のフロントエンド部の受信限界値に近いＳ／Ｎ値では、フロントエンド部が、伝送路における誤りなしの状態で、受信できているのか否かが判断つかないという課題がある。
【００１０】
例えば、２５６ＱＡＭ方式を受信する場合、伝送路における誤りなしのフロントエンド部における受信限界Ｓ／Ｎ比が３０ｄＢである場合、Ｓｔａｔｕｓ  ｏｆ  ＦＡＴのＳ／Ｎ比の値が３１ｄＢと表示したにもかかわらず、画像が正しく映らない場合に、フロントエンド部が原因なのか、バックエンド部が原因なのか、判断がつかなくなってしまう課題がある。
【課題を解決するための手段】
【００１１】
本発明は、チャンネルの状態を表示する画面（ＯＰＥＮＣＡＢＬＥ  ＨＯＳＴ  ＤＥＶＩＣＥ  ＤＩＡＧＮＯＳＴＩＣＳ）のケーブル受信状態（Ｓｔａｔｕｓ  ｏｆ  ＦＡＴ）の項目において、ＭＰＥＧトランスポート・パケット中のビット・エラーを換算し、ＴＳ誤りの有無を表示するエラーインジケータという項目を付加し表示することを特徴とする。また、本発明は、上記Ｓｔａｔｕｓ  ｏｆ  ＦＡＴの項目において、フロントエンド部により算出されるビット誤り率という項目を付加し表示することを特徴とする。
【発明の効果】
【００１２】
本発明の米国ＯｐｅｎＣａｂｌｅ対応デジタルケーブル放送用受信機は、受信機のフロントエンド部の受信限界値に近いＳ／Ｎ値を表示し、画像が正しく映らない場合に、フロントエンド部が原因なのか、バックエンド部が原因なのか、正しく判断でき、受信機をユーザの家で設置する場合に、受信機の受信状態を明確にできるという利点がある。
【発明を実施するための最良の形態】
【００１３】
（実施の形態１）
図１は、本発明の第１の実施形態を示す米国ＯｐｅｎＣａｂｌｅ対応デジタルケーブル放送用受信機の構成を示すブロック図である。
【００１４】
ケーブル会社からのＦＡＴ（ＦＯＲＷＡＲＤ  ＡＰＰＬＩＣＡＴＩＯＮ  ＴＲＡＮＳＰＯＲＴ  ＣＨＡＮＮＥＬ）信号とＦＤＣ（ＦＯＲＷＡＲＤ  ＤＡＴＡ  ＣＨＡＮＮＥＬ）信号の両方が入力される信号入力部１０１と、ＦＡＴ信号から選局されたチャンネルの周波数とローカル信号を混合し規定周波数のＩＦ信号に周波数変換し、隣接に存在するチャンネルを取り除き、ＱＡＭ復調部が正しく動作する適切な信号を出力するＦＡＴチューナ部１０２と、ＱＡＭ変調された信号を復調するＱＡＭ復調部１０３と、伝送路における誤りを訂正し、トランスポートストリーム信号（ＴＳ信号）を出力する誤り訂正部１０４と、誤り訂正部から出力されたトランスポートストリームからトランスポート・パケットの誤り量を算出し、トランスポート・パケット誤りの有無を判断するＴＳ誤り量算出部１００１と、トランスポートストリーム信号からＭＰＥＧデコードおよび音声デコードし、デジタル画像信号とデジタル音声信号を作り出すＭＰＥＧデコード部＋音声デコード部１０５と、デジタル画像信号をアナログ画像信号に変換するＶｉｄｅｏＤＡＣ部１０６と、デジタル音声信号をアナログ音声信号に変換するＡｕｄｉｏＤＡＣ部１０７と、システム制御部１０８と、チャンネルの受信状態を示す画面を作り出すグラフィック部１０９と、ＭＰＥＧデコード部から出力されるデジタル画像信号と、グラフィック部１０９から出力されるチャンネルの受信状態を示す画面を混合する画面混合部１１０と、アナログ画像信号を出力するアナログ画像信号出力部１１１と、アナログ音声信号を出力するアナログ音声信号出力部１１２と、リモコンや外部ボタンなどからシステム制御情報が入力される外部制御信号入力端子１１３と、ＦＤＣ信号から、ＰＯＤ（Ｐｏｉｎｔ  ｏｆ  Ｄｅｐｌｏｙｍｅｎｔ）部に設定されているＦＤＣ信号の存在する周波数を選局し、ＩＦ信号に周波数変換し、隣接に存在するチャンネルを取り除き、ＱＰＳＫ復調部が正しく動作する適切な信号を出力するＦＤＣチューナ部１１４と、ＱＰＳＫ変調された信号を復調するＱＰＳＫ復調部１１５と、ケーブル会社より送られてくるＦＤＣ信号の周波数と、ＦＤＣ信号に含まれている情報（チャンネル配置情報、課金情報、お客様情報）を受信するＰＯＤ部１１６によって、構成されている。
【００１５】
以下に図１を用いて、動作を説明する。まず、信号入力部１０１に、ケーブル会社からＦＡＴ信号とＦＤＣ信号が送信される。この信号入力部１０１からの信号は、ＦＡＴチューナ部１０２と、ＦＤＣチューナ部１１４に供給される。
【００１６】
次に、ＰＯＤ部１１６が指定するＦＤＣ信号の周波数チャンネル情報をシステム制御部１０８へ伝達し、システム制御部１０８はその周波数を選局するようにＦＤＣチューナ部１１４に命令する。ＦＤＣチューナ部１１４では、システム制御部１０８から送られてきたＦＤＣ信号の存在する周波数を選局し、ＩＦ信号に周波数変換し、隣接に存在するチャンネルを取り除き、ＱＰＳＫ復調部が正しく動作する適切な信号を出力する。その後、後段ＱＰＳＫ復調部１１５へ伝送し、ＱＰＳＫ復調部１１５ではＱＰＳＫ復調する。
【００１７】
その後、ＰＯＤ部１１６へ、ケーブル会社からのチャンネル配置情報、課金情報などが受け渡され、それらの情報をシステム制御部１０８が管理する。
【００１８】
その後、リモコンや外部ボタンにより、お客様が希望するチャンネルを選局すると、その情報が外部制御信号端子１１３から入力され、システム制御部１０８へ送られ、システム制御部１０８は、ＦＡＴチューナ部１０２にその情報を伝達する。ＦＡＴチューナ部１０２では、そのチャンネルの選局周波数を選局し、規定周波数のＩＦ信号に周波数変換し、隣接に存在するチャンネルを取り除き、後段ＱＡＭ復調部１０３が正しく動作する適切な信号を出力する。ＱＡＭ復調部１０３では、そのＱＡＭ変調された信号をＱＡＭ復調し、後段の誤り訂正部１０４へ渡す。誤り訂正部１０４では、伝送路の誤りを訂正し、エラー情報などを含むトランスポートストリーム信号を出力する（図３参照）。
【００１９】
トランスポートストリームは、１８８バイトの固定長トランスポート・パケットによって構成されている。トランスポート・パケットは、トランスポート・パケットの先頭を検出するための同期バイト、パケット中のビットエラーの有無を示す誤り表示（エラー・インジケータ）、新たなＰＥＳパケットが、このトランスポート・パケットのペイロードから始まることを示すユニット開始表示、このパケットの重要度を示すトランスポート・パケット・プライオリティ、該当パケットの個別ストリームの属性を示すＰＩＤ（Ｐａｃｋｅｔ  Ｉｄｅｎｔｉｆｉｃａｔｉｏｎ）、このパケットのペイロードのスクランブルの有無、種別を示すスクランブル制御、このパケットでのアダプテーション・フィールドの有無およびペイロードの有無を示すアダプテーション・フィールド制御、同じＰＩＤを持つパケットが途中で一部棄却されたかどうかを検出するための情報である巡回カウンタ、個別ストリームに関する付加情報を含むアダプテーション・フィールド、情報であるペイロードによって構成されている。
【００２０】
本発明では、そのトランスポート・パケット構成要素の中の誤り表示（エラー・インジケータ）を使用する。
【００２１】
誤り訂正部１０４から出力されたトランスポートストリームは、ＭＰＥＧデコード部＋音声デコード部１０５において、ＭＰＥＧデコードおよび音声デコードされ、デジタル画像信号とデジタル音声信号が作り出される。その後、デジタル画像信号は、ＶｉｄｅｏＤＡＣ部１０６により、アナログ画像信号に変換され、アナログ画像信号出力端子１１１から出力される。デジタル音声信号は、ＡｕｄｉｏＤＡＣ部１０７により、アナログ音声信号に変換され、アナログ音声出力端子１１２から出力される。
【００２２】
一方で、誤り訂正部１０４から出力されたトランスポートストリームは、ＴＳ誤り量算出部１００１に入力される。
【００２３】
ＴＳ誤り量算出部１００１では、ｎ個のトランスポート・パケットから、誤り表示（エラー・インジケータ）の数を測定する。ｎ個のトランスポート・パケットのうち、仮にｍ個（１≦ｍ≦ｎ）誤りがある場合は、ｍ／ｎ個の誤りあり（ＴＳ＿Ｅｒｒｏｒ：ｍ／ｎ）と判断し、誤りがない場合は、誤りなし（ＴＳ＿Ｅｒｒｏｒ：Ｎｏ＿Ｅｒｒｏｒ）と判断する。そして、ＴＳ誤り量に関する情報をシステム制御部１０８へ出力する。
【００２４】
グラフィック部１０９では、システム制御部１０８から送られてくる、ＦＡＴの情報、ＦＤＣの情報、トランスポート・パケットの誤り情報などから、図２に示すチャンネルの状態を表示する画面（ＯＰＥＮＣＡＢＬＥ  ＨＯＳＴ  ＤＥＶＩＣＥ  ＤＩＡＧＮＯＳＴＩＣＳ）を作成する。そして、外部信号入力端子１１３から、チャンネルの状態を表示する画面を表示するという制御信号がきた場合のみ、画面混合部１１０により、受信画面とチャンネルの受信状態を示す画面が混合され、ＶｉｄｅｏＤＡＣ部１０６を通り、アナログ画像出力端子１１１に出力される。
【００２５】
以上より、図２に示す画面において、受信機のフロントエンド部の受信限界値に近いＳ／Ｎ値が表示され、画像が正しく映らない場合に、ＴＳ誤りありの場合には、フロントエンド部が原因であると判断でき、ＴＳ誤りなしの場合には、バックエンド部が原因であると判断することが可能となる。
【００２６】
（実施の形態２）
図４は、本発明の第１の実施形態を示す米国ＯｐｅｎＣａｂｌｅ対応デジタルケーブル放送用受信機の構成を示すブロック図である。
【００２７】
ケーブル会社からのＦＡＴ（ＦＯＲＷＡＲＤ  ＡＰＰＬＩＣＡＴＩＯＮ  ＴＲＡＮＳＰＯＲＴ  ＣＨＡＮＮＥＬ）信号とＦＤＣ（ＦＯＲＷＡＲＤ  ＤＡＴＡ  ＣＨＡＮＮＥＬ）信号の両方が入力される信号入力部１０１と、ＦＡＴ信号から選局されたチャンネルの周波数とローカル信号を混合し規定周波数のＩＦ信号に周波数変換し、隣接に存在するチャンネルを取り除き、ＱＡＭ復調部が正しく動作する適切な信号を出力するＦＡＴチューナ部１０２と、ＱＡＭ変調された信号を復調するＱＡＭ復調部１０３と、伝送路における誤りを訂正し、トランスポートストリーム信号（ＴＳ信号）を出力する誤り訂正部１０４と、誤り訂正部１０４の前と後のデータを用いてビット誤り率を換算するビット誤り率算出部１００２と、トランスポートストリーム信号からＭＰＥＧデコードおよび音声デコードし、デジタル画像信号とデジタル音声信号を作り出すＭＰＥＧデコード部＋音声デコード部１０５と、デジタル画像信号をアナログ画像信号に変換するＶｉｄｅｏＤＡＣ部１０６と、デジタル音声信号をアナログ音声信号に変換するＡｕｄｉｏＤＡＣ部１０７と、システム制御部１０８と、チャンネルの受信状態を示す画面を作り出すグラフィック部１０９と、ＭＰＥＧデコード部から出力されるデジタル画像信号と、グラフィック部１０９から出力されるチャンネルの受信状態を示す画面を混合する画面混合部１１０と、アナログ画像信号を出力するアナログ画像信号出力部１１１と、アナログ音声信号を出力するアナログ音声信号出力部１１２と、リモコンや外部ボタンなどからシステム制御情報が入力される外部制御信号入力端子１１３と、ＦＤＣ信号から、ＰＯＤ（Ｐｏｉｎｔ  ｏｆ  Ｄｅｐｌｏｙｍｅｎｔ）部に設定されているＦＤＣ信号の存在する周波数を選局し、ＩＦ信号に周波数変換し、隣接に存在するチャンネルを取り除き、ＱＰＳＫ復調部が正しく動作する適切な信号を出力するＦＤＣチューナ部１１４と、ＱＰＳＫ変調された信号を復調するＱＰＳＫ復調部１１５と、ケーブル会社より送られてくるＦＤＣ信号の周波数と、ＦＤＣ信号に含まれている情報（チャンネル配置情報、課金情報、お客様情報）を受信するＰＯＤ部１１６によって、構成されている。
【００２８】
以下に図４を用いて、動作を説明する。まず、信号入力部１０１に、ケーブル会社からＦＡＴ信号とＦＤＣ信号が送信される。この信号入力部１０１からの信号は、ＦＡＴチューナ部１０２と、ＦＤＣチューナ部１１４に供給される。
【００２９】
次に、ＰＯＤ部１１６が指定するＦＤＣ信号の周波数チャンネル情報をシステム制御部１０８へ伝達し、システム制御部１０８はその周波数を選局するようにＦＤＣチューナ部１１４に命令する。ＦＤＣチューナ部１１４では、システム制御部１０８から送られてきたＦＤＣ信号の存在する周波数を選局し、ＩＦ信号に周波数変換し、隣接に存在するチャンネルを取り除き、ＱＰＳＫ復調部が正しく動作する適切な信号を出力する。その後、後段ＱＰＳＫ復調部１１５へ伝送し、ＱＰＳＫ復調部１１５ではＱＰＳＫ復調する。
【００３０】
その後、ＰＯＤ部１１６へ、ケーブル会社からのチャンネル配置情報、課金情報などが受け渡され、それらの情報をシステム制御部１０８が管理する。
【００３１】
その後、リモコンや外部ボタンにより、お客様が希望するチャンネルを選局すると、その情報が外部制御信号端子１１３から入力され、システム制御部１０８へ送られ、システム制御部１０８は、ＦＡＴチューナ部１０２にその情報を伝達する。ＦＡＴチューナ部１０２では、そのチャンネルの選局周波数を選局し、規定周波数のＩＦ信号に周波数変換し、隣接に存在するチャンネルを取り除き、後段ＱＡＭ復調部１０３が正しく動作する適切な信号を出力する。ＱＡＭ復調部１０３では、そのＱＡＭ変調された信号をＱＡＭ復調し、後段の誤り訂正部１０４へ渡す。
【００３２】
誤り訂正部１０４では、伝送路の誤りを訂正し、エラー情報などを含むトランスポートストリーム信号を出力する（図３参照）。
【００３３】
ビット誤り率算出部１００２では、誤り訂正部１０４の前と後のデータを用いてビット誤り率を換算し、システム制御部１０８へ出力する。
【００３４】
誤り訂正部１０４から出力されたトランスポートストリームは、ＭＰＥＧデコード部＋音声デコード部１０５において、ＭＰＥＧデコードおよび音声デコードされ、デジタル画像信号とデジタル音声信号が作り出される。その後、デジタル画像信号は、ＶｉｄｅｏＤＡＣ部１０６により、アナログ画像信号に変換され、アナログ画像信号出力端子１１１から出力される。デジタル音声信号は、ＡｕｄｉｏＤＡＣ部１０７により、アナログ音声信号に変換され、アナログ音声出力端子１１２から出力される。
【００３５】
グラフィック部１０９では、システム制御部１０８から送られてくる、ＦＡＴの情報、ＦＤＣの情報、ビット誤り率の情報などから、図５に示すチャンネルの状態を表示する画面（ＯＰＥＮＣＡＢＬＥ  ＨＯＳＴ  ＤＥＶＩＣＥ  ＤＩＡＧＮＯＳＴＩＣＳ）を作成する。そして、外部信号入力端子１１３から、チャンネルの状態を表示する画面を表示するという制御信号がきた場合のみ、画面混合部１１０により、受信画面とチャンネルの受信状態を示す画面が混合され、ＶｉｄｅｏＤＡＣ部１０６を通り、アナログ画像出力端子１１１に出力される。
【００３６】
以上より、図５に示す画面において、受信機のフロントエンド部の受信限界値に近いＳ／Ｎ値が表示され、画像が正しく映らない場合に、ビット誤り率がゼロでない場合には、フロントエンド部が原因であると判断でき、ビット誤り率がゼロの場合には、バックエンド部が原因であると判断することが可能となる。
【産業上の利用可能性】
【００３７】
本発明は、米国ＯｐｅｎＣａｂｌｅ対応デジタルケーブル放送用受信機だけでなく、デジタルケーブル放送受信機能を持つＤＶＤ録画機などの用途にも適用できる。
【図面の簡単な説明】
【００３８】
【図１】本発明の実施の形態１における受信機の構成を示した図
【図２】本発明の実施の形態１における画面表示の一例を示した図
【図３】トランスポートストリームの構成を示した図
【図４】本発明の実施の形態２における受信機の構成を示した図
【図５】本発明の実施の形態２における画面表示の一例を示した図
【図６】従来の受信機の構成を示した図
【符号の説明】
【００３９】
１０１    信号入力部
１０２    ＦＡＴチューナ部
１０３    ＱＡＭ復調部
１０４    誤り訂正部
１０５    ＭＰＥＧデコード部＋音声デコード部
１０６    ＶｉｄｅｏＤＡＣ部
１０７    ＡｕｄｉｏＤＡＣ部
１０８    システム制御部
１０９    グラフィック部
１１０    画面混合部
１１１    アナログ画像信号出力端子
１１２    アナログ音声信号出力端子
１１３    外部制御信号入力端子
１１４    ＦＤＣチューナ部
１１５    ＱＰＳＫ復調部
１１６    ＰＯＤ部
４０１    フロントエンド部
４０２    バックエンド部
【図１】
2006217008.tif 000003
【図２】
2006217008.tif 000004
【図３】
2006217008.tif 000005
【図４】
2006217008.tif 000006
【図５】
2006217008.tif 000007
【図６】
2006217008.tif 000008